(57)【要約】【課題】帯状基体に設けた固着具の支持部を、固着具の保持力を維持しながら固着具の頭部の抜け性を確保するように形成し、水平打ち込み時の固着具の傾斜発生を防ぐことができる固着具の支持テープを提供する。【解決手段】支持テープ１１を形成する帯状基体１２の長手方向に、固着具を挿通する支持部１３を一定の間隔で設け、この帯状基体１２の各支持部１３の周辺に、支持部１３を始端として外方に延びる複数の切り溝１７を放射状の配置で設け、更に、各切り溝１７の先端部でこの先端部を挟む両側の位置にそれぞれ透孔１８が設けてある。【選択図】図１
2005076665.tif 000002
【特許請求の範囲】
【請求項１】
帯状基体の長手方向に、固着具を挿通する支持部を一定の間隔で設け、この帯状基体を電動工具の摺動部材に設けた案内溝に挿通し、摺動部材に設けた送り爪によって支持部の間隔に一致するピッチで間欠送りされる固着具の支持テープにおいて、上記帯状基体の各支持部の周辺に、支持部を始端として外方に延びる複数の切り溝を放射状の配置で設け、更に、各切り溝の先端部でこの先端部を挟む両側の位置にそれぞれ透孔を設けたことを特徴とする固着具の支持テープ。
【請求項２】
上記各切り溝は、幅の狭い直線状に形成され、その先端が支持部で保持された固着具の頭部の外径よりも外側に位置する長さに設定され、上記透孔は、各切り溝の先端を結ぶ仮想円に重なる位置、又はこの仮想円に近接した内側もしくは外側の位置に設けられていることを特徴とする請求項１に記載の固着具の支持テープ。
【発明の詳細な説明】
【技術分野】
【０００１】
この発明は、固着具の支持テープ、更に詳しくは、固着具であるねじ釘や釘を一定の間隔で並べて支持し、電動工具を用いてねじ釘や釘を連続的に打ち込むことができるようにするための支持テープに関する。
【背景技術】
【０００２】
従来、ねじ釘を電動ドライバ工具で連続的に打ち込むことができるようにするため、ねじ釘を一定間隔で支持する支持テープ１は、図６乃至図８に示すように、合成樹脂を用いた帯状基体２にねじ釘Ａを挿通する支持部３を、長さ方向に一定間隔の配置で設け、この支持部３が、ねじ釘Ａの軸部Ｂが適合する内径で帯状基体２に設けた挿通孔４と、帯状基体２の裏面側で挿通孔４の周囲に突設した円筒状の支持筒５とで形成され、上記帯状基体２の両側縁に、送り用の切り欠き６が支持部３と同一のピッチで設けられた構造になっている。
【０００３】
このような支持テープ１は、図９に示すような電動ドライバ工具７に装着し、ねじ釘Ａの連続的な打ち込みに用いられる。
【０００４】
ところで、支持テープ１を電動ドライバ工具７に装着し、この支持テープ１で保持したねじ釘Ａを打ち込むと、ねじ釘Ａの頭部Ｃが帯状基体２に対して、この帯状基体２に設けた支持部３の周辺部分を拡径するように弾性変形させて通過することになる。
【０００５】
このような支持テープ１においては、帯状基体２の支持部３の周辺に対するねじ釘Ａの頭部Ｃの通過性をよくするため、帯状基体２の各支持部３の周辺に、支持筒５を始端として外方に延びる複数本の切り溝８を放射状の配置で設けている。この切り溝８は支持筒５側の部分において、支持筒５の軸方向に沿って途中の位置にまで達している。
【０００６】
上記のように、帯状基体２の各支持部３の周辺に四本の切り溝８を放射状の配置で設けると、隣接する切り溝８間の部分が弾性可曲片９となり、支持部３の周辺はこの弾性可曲片９で囲まれ、実質的に各弾性可曲片９と支持筒５でねじ釘Ａの軸部Ｂを保持することになる。
【０００７】
上記のような切り溝８を設けることにより、ねじ釘Ａの頭部Ｃの通過時に、頭部Ｃで押し広げられた各弾性可曲片９が切り溝８の先端を結ぶ線の位置で屈曲すると共に、支持筒５の下部が切り溝８の延長部分から破断することで、ねじ釘Ａの頭部Ｃの通過性をよくしている。
【０００８】
従来、支持テープ１の帯状基体２に設ける切り溝８は、図６に示すように、幅の狭い直線状とし、支持筒５を始端として外方に延びる四本を設けたものと、図７に示すように、切り溝８を先端側に向けて広がる団扇形や三角形に形成したものが提案されている（例えば、特許文献１参照）。
【０００９】
【特許文献１】特許第２９０３２６２号公報（図２、図４、図６）
【発明の開示】
【発明が解決しようとする課題】
【００１０】
ところで、前者の幅の狭い直線状の切り溝８の場合、隣接する切り溝８間の各弾性可曲片９は、切り溝８の幅が狭い分だけ平面的な面積が大きくなり、隣接する切り溝８の先端間の距離が長くなる。
【００１１】
上記隣接する切り溝８の先端間は、頭部Ｃが通過するとき弾性可曲片９の屈曲基点となるものであるが、隣接する切り溝８の先端間の距離が長いと、当然屈曲基点の全長が長くなり、その分弾性可曲片９の屈曲弾性が悪く、ねじ釘Ａの頭部Ｃが通過して弾性可曲片９を押し広げる時に大きな抵抗が発生することになり、このため、帯状基体２に対するねじ釘Ａの抜け性が悪く、帯状基体２に対してねじ釘Ａの頭部Ｃを通過させるのに大きなトルクの電動ドライバ工具が必要になる。
【００１２】
これに対して、後者の団扇形や三角形に形成した切り溝８の場合、切り溝８の幅が広くなった分だけ隣接する切り溝８間の各弾性可曲片９の平面的な面積を少なくでき、弾性可曲片９の屈曲基点となる隣接切り溝８の先端間の距離が短くなり、これによって弾性可曲片９の屈曲弾性が良くなり、ねじ釘Ａの頭部Ｃが通過して弾性可曲片９を押し広げる時の抵抗の発生が少なくなることで、帯状基体２に対するねじ釘Ａの抜け性が良くなり、電動ドライバ工具の省トルク化が図れるという利点がある。
【００１３】
しかしながら、弾性可曲片９の屈曲弾性が良くなると、その分各弾性可曲片９によるねじ釘Ａの保持力が弱くなり、このため、ねじ釘Ａを水平に打ち込もうとした場合、ねじ釘Ａは先端が下がる傾斜状の姿勢となり、ねじ釘Ａを水平に打ち込むことができない事態が発生するという問題がある。
【００１４】
また、ねじ釘Ａに傾斜が生じると、電動ドライバ工具のドライバとねじ釘Ａの軸心が合わなくなり、このような状態でねじ込み作業を行うと、ねじ釘Ａをねじ込む壁材に傷を付け、極端な場合は作業を中断して食い込んだねじ釘Ａを除去しなければならないことになる。
【００１５】
そこで、この発明の課題は、帯状基体に設ける支持部の構造を、ねじ釘の保持力を維持しながら屈曲弾性が向上するように形成し、釘の頭部の抜け性を確保し、かつ、水平打ち込み時のねじ釘の傾斜発生を防ぐことができる固着具の支持テープを提供することにある。
【課題を解決するための手段】
【００１６】
上記のような課題を解決するため、この発明は、帯状基体の長手方向に、固着具を挿通する支持部を一定の間隔で設け、この帯状基体を電動工具の摺動部材に設けた案内溝に挿通し、摺動部材に設けた送り爪によって支持部の間隔に一致するピッチで間欠送りされる固着具の支持テープにおいて、上記帯状基体の各支持部の周辺に、支持部を始端として外方に延びる複数の切り溝を放射状の配置で設け、更に、各切り溝の先端部でこの先端部を挟む両側の位置にそれぞれ透孔を設けた構成を採用したものである。
【００１７】
上記各切り溝は、幅の狭い直線状に形成され、その先端が支持部で保持された固着具の頭部の外径よりも外側に位置する長さに設定され、上記透孔は、各切り溝の先端を結ぶ仮想円に重なる位置、又はこの仮想円に近接した内側もしくは外側の位置に設けられているようにしてもよい。
【００１８】
ここで、支持テープは合成樹脂を用い、帯状基体に設けた支持部は、ねじ釘の軸部が適合する内径で設けた挿通孔と、帯状基体の下面側で挿通孔の周囲に突設した円筒状の支持筒とで形成され、切り溝は、支持筒側の部分において、支持筒の軸方向に沿って途中の位置にまで達していると共に、上記帯状基体の両側縁に、送り用の切り欠きが支持部と同一の間隔で設けられている。
【発明の効果】
【００１９】
上記のように、この発明によると、支持テープを形成する帯状基体の各支持部の周辺に、支持部を始端として外方に延びる複数の切り溝を放射状の配置で設け、更に、各切り溝の先端部でこの先端部を挟む両側の位置にそれぞれ透孔を設けたので、各切り溝間に形成される弾性可曲片の屈曲弾性が、両側に透孔を設けることにより向上し、支持部に対する固着具の抜け性が良くなると共に、各弾性可曲片の屈曲基点における弾性を適度に確保することができ、これにより、固着具を水平状態にした場合の固着具の傾斜発生を防ぎ、固着具の水平打ち込みが支障なく行えることになる。
【発明を実施するための最良の形態】
【００２０】
固着具を挿通する支持部を長手方向に沿って一定の間隔で設けた帯状基体の各支持部の周辺に、支持部を始端として外方に延びる複数の切り溝を放射状の配置で設け、更に、各切り溝の先端部でこの先端部を挟む両側の位置にそれぞれ透孔を設け、隣接する切り溝間に形成される弾性可曲片の屈曲弾性を透孔によって向上させる。
【実施例】
【００２１】
以下、この発明の実施例を図示に基づいて説明する。
【００２２】
図１乃至図５のように、支持テープ１１は、合成樹脂を用い、帯状基体１２の長手方向に、固着具を挿通する支持部１３を一定の間隔で設け、この帯状基体１２の両側縁に、送り用の切り欠き１４が支持部１３と同一のピッチで設けられている。なお、固着具としては、ねじ釘や釘を挙げることができ、以下ではねじ釘Ａを用いた例を説明する。
【００２３】
上記支持部１３は、ねじ釘Ａの軸部Ｂが適合する内径で設けた挿通孔１５と、帯状基体１２の下面側で挿通孔１５の周囲に突設した円筒状の支持筒１６とで形成され、上記帯状基体１２の各支持部１３の周辺に、支持部１３を始端として外方に延びる複数の切り溝１７を放射状の配置で設け、更に、各切り溝１７の先端部でこの先端部を挟む両側の位置に帯状基体１２を貫通する透孔１８がそれぞれ設けられている。
【００２４】
上記した各切り溝１７は、幅の狭い直線状に形成され、図１に示すように、支持筒１６を始端として外方に延びる四本が放射状の配置で設けられ、その先端が支持部１３で保持されたねじ釘Ａの頭部Ｃの外径よりも外側に位置する長さに設定され、各切り溝１７は、支持筒１６側の部分において、支持筒１６の軸方向に沿って途中の位置にまで達している。
【００２５】
上記透孔１８は、小径の円形孔や長孔、楕円孔等、任意の形状に形成され、図示の場合、透孔１８は、各切り溝１７の先端部に近接する位置で、各切り溝の先端を結ぶ仮想円の内側に接近する部分に設けたが、上記仮想円に重なる位置や仮想円の外側に接近する部分に設けるようにしてもよい。
【００２６】
上記切り溝１７を設けることによって、隣接する切り溝１７間が弾性可曲片１９となり、上記挿通孔１５は分断された弾性可曲片１９で囲まれることによって形成され、この弾性可曲片１９の挿通孔１５を形成する部分と支持筒１６がねじ釘Ａの軸部Ｂを弾力的に保持することになる。
【００２７】
上記弾性可曲片１９は、ねじ釘Ａの頭部Ｃが支持部１３を通過するとき、隣接する切り溝１７の先端間が屈曲基点となるが、上記切り溝１７は、幅の狭い直線状に形成されているので、隣接する切り溝１７の先端間の距離が長くなる。
【００２８】
しかし、各切り溝１７の先端部でその両側に設けた透孔１８は、隣接する切り溝１７の先端間を結ぶ線上に位置することになり、屈曲基点における帯状基体１２の合成樹脂の量を両側透孔１８の分だけ減少させることができ、これによって、弾性可曲片１９の屈曲弾性を向上させることができる。
【００２９】
このように、切り溝１７を幅の狭い直線状に形成し、屈曲基点における帯状基体１２の合成樹脂の量を両側透孔１８の分だけ減少させることにより、弾性可曲片１９によるねじ釘Ａの保持力を維持しながら、弾性可曲片１９の屈曲弾性を適度に向上させることができ、これにより、支持テープ１１の支持部１３は、ねじ釘Ａの頭部Ｃの抜け性を向上させつつ水平打ち込み時のねじ釘Ａの傾斜発生を防ぐことができることになる。
【００３０】
なお、図示の場合、支持テープ１１には、帯状基体１２の一面側で各支持部１３の周辺位置に突起２０を設け、電動ドライバ工具への装填時に、電動ドライバ工具の案内溝と支持テープ１１の間の隙間に突出する突起２０により、案内溝内での支持テープ１１の上下方向のガタツキ発生を防止するようにしている。
【００３１】
この発明の支持テープ１１は、上記のような構成であり、各支持部１３でねじ釘Ａを保持した状態で、図９で示したと同様に、電動ドライバ工具に対してガイドから摺動部材の案内溝内に挿通し、案内溝内で支持テープ１１の両側縁の送り用の切り欠き１４に送り爪が係合し、案内溝内に位置する支持部１３で保持されたねじ釘Ａは、ドライバと同軸心状の配置となる。
【００３２】
上記の状態で、摺動部材の先端に設けた当接金具を被打設面に当てがい、工具本体を被打設面に向けて押し込むと、停止する摺動部材に対して工具本体と案内ケース及び回転するドライバが前進移動し、移動途中でドライバがねじ釘Ａの頭部Ｃのドライバ係合溝に係合し、ねじ釘Ａに回転を与えつつ被打設面に向けて押し込むので、ねじ釘Ａはその頭部Ｃが支持テープ１１の支持部１３を強制通過して被打設面にねじ込まれることになる。
【００３３】
上記ねじ釘Ａはその頭部Ｃが支持テープ１１の支持部１３を強制通過する際、図４と図５のように、各弾性可曲片１９は屈曲基点の部分から弧状に湾曲しながら拡径し、支持筒１６の下部が切り溝１７の延長部分から破断することで、ねじ釘Ａの頭部Ｃの通過を許容することになるが、各切り溝１７の先端部でその両側に設けた透孔１８が、弾性可曲片１９の屈曲弾性を向上させているので、ねじ釘Ａの抜け性がよい。
【００３４】
また、切り溝１７は、幅の狭い直線状に形成されているので、各弾性可曲片１９の屈曲基点における弾性を適度に確保することができ、これにより、ねじ釘Ａを水平状態にした場合のねじ釘Ａの傾斜発生を防ぐことができ、ねじ釘Ａの水平打ち込みが支障なく行えることになる。
【図面の簡単な説明】
【００３５】
【図１】この発明の支持テープを示す斜視図
【図２】この発明の支持テープを示す平面図
【図３】この発明の支持テープのねじ釘を保持した状態を示す縦断面図
【図４】この発明の支持テープで保持したねじ釘の抜ける途中の状態を示す平面図
【図５】この発明の支持テープで保持したねじ釘の抜ける途中の状態を示す縦断面図
【図６】従来の支持テープを示す平面図
【図７】従来の支持テープの他の例を示す平面図
【図８】従来の支持テープによるねじ釘を保持した状態を示す縦断面図
【図９】従来の支持テープを装着した電動ドライバ工具の側面図
【符号の説明】
【００３６】
１    支持テープ
２    帯状基体
３    支持部
４    挿通孔
５    支持筒
６    送り用の切り欠き
７    電動ドライバ工具
８    切り溝
９    弾性可曲片
１１  支持テープ
１２  帯状基体
１３  支持部
１４  送り用の切り欠き
１５  挿通孔
１６  支持筒
１７  切り溝
１８  透孔
１９  弾性可曲片
２０  突起
Ａ    ねじ釘
Ｂ    軸部
Ｃ    頭部
【図１】
2005076665.tif 000003
【図２】
2005076665.tif 000004
【図３】
2005076665.tif 000005
【図４】
2005076665.tif 000006
【図５】
2005076665.tif 000007
【図６】
2005076665.tif 000008
【図７】
2005076665.tif 000009
【図８】
2005076665.tif 000010
【図９】
2005076665.tif 000011